(57)【特許請求の範囲】
【請求項１】
流し台のシンクや洗面ボール等の取付板部に開設された貫通孔に挿通固定されるシングルレバー式の混合栓において、給湯管に連通する湯の導入孔、給水管に連通する水の導入孔および混合湯水の導出孔を有し、弁ユニットを上載固定するロアーディスクと、前記給湯管および給水管を挿通させる管挿通穴を有し、前記貫通孔を覆う状態で取付板部に固定設置される水栓取付け部材とを上下に連結するプレス板を設ける一方、前記ロアーディスクおよび水栓取付け部材間に、前記ロアーディスクの下面に固定され、前記貫通孔から前記管挿通穴を介して前記湯の導入孔と水の導入孔に至る前記給湯管と給水管をそれぞれ案内するための切欠きを有する上部大径部と下部小径部とよりなり、前記ロアーディスクの前記混合湯水の導出孔に連通させるために前記上部大径部および下部小径部を上下に貫通する混合湯水の連通穴が形成された混合湯水用アタッチメントと、筒状で、周部に吐水管を係止するための係止穴部を有し、前記下部小径部に対してその軸まわりに回動可能なように前記下部小径部に外嵌する吐水用エルボとを設けてなることを特徴とするシングルレバー式の混合栓。
【発明の詳細な説明】
【０００１】
【発明の属する技術分野】
この発明は、流し台のシンクや洗面ボール等の取付板部に開設された貫通孔に挿通固定されるシングルレバー式の混合栓に関する。
【０００２】
【従来の技術および発明が解決しようとする課題】
従来この種混合栓として、図４に示すように、湯水の混合室Ａを環状に形成する水栓本体６０が洗面ボールの取付板部６１に開設の貫通孔６２に止着される水栓取付足６３と、湯水混合用の弁ユニット６４を内蔵する水栓胴体６５とから成る湯水混合水栓６６があるけれども、水栓取付足６３は、例えば銅や真鍮などの鋳造製であり、水栓胴体６５は、銅や真鍮などの金属パイプ材を加工成形したものであるので、コスト高になるとともに流路の形成に手間がかかり、その上、水漏れ防止や強度を保つために吐水管６７を水栓胴体６５にロー付けする分更にコスト高となっていた。更に、混合室Ａからの熱が直接水栓胴体６５に伝わる構成であるので、水栓胴体６５が熱くなるといった問題点がある。
【０００３】
本発明は上述の事柄に留意してなされたもので、その目的は、流路の形成を容易にでき、湯水混合水による熱が表面に伝達するのを防止できるコスト安なシングルレバー式の混合栓を提供することである。
【０００４】
【課題を解決するための手段】
上記目的を達成するために、この発明は、流し台のシンクや洗面ボール等の取付板部に開設された貫通孔に挿通固定されるシングルレバー式の混合栓において、給湯管に連通する湯の導入孔、給水管に連通する水の導入孔および混合湯水の導出孔を有し、弁ユニットを上載固定するロアーディスクと、前記給湯管および給水管を挿通させる管挿通穴を有し、前記貫通孔を覆う状態で取付板部に固定設置される水栓取付け部材とを上下に連結するプレス板を設ける一方、前記ロアーディスクおよび水栓取付け部材間に、前記ロアーディスクの下面に固定され、前記貫通孔から前記管挿通穴を介して前記湯の導入孔と水の導入孔に至る前記給湯管と給水管をそれぞれ案内するための切欠きを有する上部大径部と下部小径部とよりなり、前記ロアーディスクの前記混合湯水の導出孔に連通させるために前記上部大径部および下部小径部を上下に貫通する混合湯水の連通穴が形成された混合湯水用アタッチメントと、筒状で、周部に吐水管を係止するための係止穴部を有し、前記下部小径部に対してその軸まわりに回動可能なように前記下部小径部に外嵌する吐水用エルボとを設けてなる。
【０００５】
【発明の実施の形態】
以下、この発明の実施の形態について説明する。
図１〜図３は、この発明の一実施形態を示す。
【０００６】
図１〜図３において、１は、ワンホール混合栓で、台所の流し台や洗面ボール、バスタブ等の水栓取付板部２に開設された貫通孔３を介して水栓取付板部２にボルト４およびナット５を用いて固定されている。
【０００７】
６は、湯水の混合流路Ｂを形成するワンホール混合栓１の水栓本体である。
【０００８】
この水栓本体６は、上から順に、小径の上方開口１９、大径の下方開口２０を有し、湯水混合用の弁ユニット７を内蔵する弁ユニットケース８と、給湯管１００に連通する湯の導入孔ａ、給水管１０１に連通する水の導入孔ａおよび混合湯水の導出孔ｂとを有し、弁ユニット７を上載固定するロアーディスク９と、上記の孔ａ，ａ，ｂに嵌入される筒状パッキン（図示せず）と、吐水管１３への混合湯水の連通穴４８を有し、ロアーディスク９の下面９ａに固定され、上部大径部１０と下部小径部１１とよりなる混合湯水用アタッチメント１２と、筒状で、周部に吐水管１３を係止するための係止穴部１４を有し、前記下部小径部１１に対してその軸まわりに回動可能なように前記下部小径部１１に外嵌する吐水用エルボ１５と、ディスク状で、給湯管１００および給水管１０１を挿通させる管挿通穴１６を有し、前記貫通孔３を覆う状態で取付板部２に取付板部２の下面２ｂ側からのナット５による締め付けによって固定設置される水栓取付け部材１７と、この水栓取付け部材１７とロアーディスク９とをビス９０を用いて上下に連結するステンレス製のプレス板１８とを主として備えている。そして、吐水用エルボ１５の直下に吐水用エルボ１５が当接することなく水栓取付け部材１７が位置するよう構成されており、吐水用エルボ１５の回動動作をスムーズに行える。９１は、プレス板１８に設けたビス孔である。
なお、前記各導入孔ａおよびａにおいて、図２に示されているロアーディスク９の上面９ｂ部分は下流の弁ユニット７の側に導入される湯および水の出口である。また、前記導入孔ｂにおいて、図２に示されているロアーディスク９の上面９ｂ部分は、下流の混合湯水用アタッチメント１２の連通穴４８に導出される混合湯水の入口である。
【０００９】
そして、弁ユニット７は、収容筒（カートリッジ）２６の底部２６ａを介してロアーディスク９に上載されるセラミック製の固定ディスク２０と、この固定ディスク２０に摺動自在に重合配置されるセラミック製の可動ディスク２１と、この上にあって前記可動ディスク２１を保持する合成樹脂製のサポート部材２２と、ディスクガイド２３とが収容筒２６に収容された形で弁ユニットケース８に内蔵されている（例えば特願平７−２７５１５号、明細書、図面参照）。また、前記ディスクガイド２３に枢着されたレバー２４の上端には、アダプター３２を介して湯水調整用のレバーハンドル２５が連結され、かつ、収容筒２６の底部２６ａには、ロアーディスク９の上面９ａに設けた係合溝２７に係合する収容筒位置合わせ用の突片２８が設けられている。なお、底部２６ａは、図示しないが、湯の導入孔ａと固定ディスク２０の湯孔を水密状態で連通させる孔を有するとともに、水の導入孔ａと固定ディスク２０の水孔を水密状態で連通させる孔を有する一方、混合湯水の導出孔ｂと固定ディスク２０の混合湯水流出孔３０を水密状態で連通させる孔３１を有する。
なお、この実施形態では、上述したように、一対の前記導入孔ａ，ａの弁ユニット７への出口と混合湯水の導出孔ｂの弁ユニット７からの入口がロアーディスク９の上面９ｂの中央ではなく中央のまわりに位置するよう構成されている。すなわち、一対の前記導入孔ａ，ａの出口の位置をロアーディスク９の前記係合溝２７に近接させる一方、混合湯水の導出孔ｂの入口を導入孔ａ，ａの出口よりも前記係合溝２７から遠い位置に設定している。これは、レバーハンドル２５の操作に固定ディスク２０と可動ディスク２１の動きを合わせているためである。
【００１０】
３３は、樹脂製のカバーで、弁ユニットケース８を覆う。
【００１１】
３４は、筒状の吐水管ボディで、周部に吐水管１３を挿入するための挿入孔３６を有する。
【００１２】
３５は、後部３５ａが吐水管１３の先端部１３ａに挿入される断熱パイプ、８４は、吐水管１３の後端部１３ｂにはめ込まれる接続用リング体、３７は、接続用リング体８４を吐水管１３にはめ込むとともに、断熱パイプ３５を先端部１３ａに差し込んでビス３９により断熱パイプ３５を固定した後、残りの吐水管部分を覆う上下二つ割りに構成された一対の断熱カバー４０，４１である。
【００１３】
更に、前記水栓取付け部材１７はボルト４が螺合するねじ孔４２を有するとともに、水栓取付板部２の上面２ａに当接する一対の外向きフランジ片４４，４４を外周面の中間部に有する。そして、水栓取付け部材１７のフランジ片４４より下側の部分１７ｃが貫通孔３に内嵌する。
【００１４】
また、前記ロアーディスク９は、その上周面に、弁ユニットケース８の最下部内周面に形成された雌ねじ４５に螺合する雄ねじ４６を有する。
【００１５】
前記混合湯水用アタッチメント１２は、前記連通穴４８を中央部に有する。すなわち、前記連通穴４８は、前記上部大径部１０および下部小径部１１の中央部を上下に貫通しており、上流に位置する、ロアーディスク９の前記混合湯水の導出孔ｂの出口に連通する。
【００１６】
また、前記上部大径部１０は、周面を切欠いた一対の切欠き５０，５１を有する。これは、貫通孔３から水栓取付け部材１７の前記管挿通穴１６を介して前記湯の導入孔ａと水の導入孔ａの前記入口に至る前記給湯管１００と給水管１０１をそれぞれ案内するためのものである。上部大径部１０とロアーディスク９は略同径か、あるいは同径に設定されている。よって、給湯管１００に連通する湯の導入孔ａ（給水管１０１に連通する水の導入孔ａ）は、その入口が前記出口の直下には位置せずに入口が出口の位置からずれるため、図１に点線で示したように、斜めに傾斜している。また、混合湯水の導出孔ｂの前記出口を混合湯水用アタッチメント１２の連通穴４８に連通させるために、その出口が前記入口の直下には位置せずに出口が入口の位置からずれるため、図１に実線で示したように、斜めに傾斜している。つまり、導入孔ａ，ａと導出孔ｂは、ロアーディスク９内で交差している。
【００１７】
次に、水栓取付け部材１７の直上に吐水用エルボ１５が当接することなく回動する構成について説明する。
【００１８】
混合湯水用アタッチメント１２の前記下部小径部１１には周部の上段に環状溝６０が設けられ（図１参照）、下段にはＯーリング６７が設けられ、一方、吐水用エルボ１５の上周面は一対の長穴６１，６１（図２参照）を同じ高さ位置に有する。
【００１９】
更に、吐水用エルボ１５は、周部に外方に上向き傾斜状態で吐水管１３を係止可能に連通させる係止・連通穴６８と、この係止・連通穴６８と連通する縦穴６９を有する。
【００２０】
また、前記下部小径部１１の外径が、吐水用エルボ１５の内径に略等しく設定されており、下部小径部１１が吐水用エルボ１５の上側から吐水用エルボ１５の前記縦穴６９に嵌め込まれるよう構成されている。
【００２１】
そして、下部小径部１１が縦穴６９に嵌め込まれた状態で、吐水用エルボ１５の前記長穴６１，６１に端部８０ａ，８０ｂが挿通され、更に、各端部８０ａ，８０ｂの先端が混合湯水用アタッチメント１２の前記環状溝６０に係止され、それによって、吐水用エルボ１５が水栓取付け部材１７に落下するのを防止するとともに、前記下部小径部１１に対してその軸まわりに吐水用エルボ１５が所定角度（回動角度）だけ回動しうる半割りのリング体８０が設けられている。この回動角度は、前記リング体の端部８０ａ，８０ｂの長さに応じて変わるがいずれにしても１８０°は超えない角度である。
【００２２】
次に、吐水管１３を吐水用エルボ１５に接続する接続機構について説明する。
【００２３】
吐水管１３は、後端部１３ｂに上流側から順にＯリング８１がはめ込まれた環状溝８２および環状突起８３を有する一方、接続用リング体８４は中間部よりやや下流側に吐水管ボディの挿入穴３６のまわりを挟む一対の突起爪８８，８９を有する。
【００２４】
上述したように、接続用リング体８４は吐水管１３の後端部１３ｂにはめ込まれるが、この接続用リング体８４の後端面３６ｃが前記環状突起８３に当接するとともに、突起爪８８，８９が吐水管ボディの挿入穴３６のまわりを挟むことで、接続用リング体８４が係止される。また、吐水管１３を吐水用エルボ１５の前記係止・連通穴６８にはめ込んだ状態〔図３（Ｂ）参照〕では、環状突起８３が前記環状突起８３に当接することで吐水用エルボ１５の前記係止穴部１４の前面１４ａに当接するとともに、前記Ｏリング８１が前記係止穴部１４の内周面に嵌まることでシール状態を確保するとともに、吐水管１３を強固に吐水用エルボ１５に支持させることができる。
【００２５】
このように、接続用リング体８４を介して吐水管１３は吐水用エルボ１５に対して着脱自在に構成されている。よって、混合湯水用アタッチメント１２の前記Ｏーリング６７が劣化して、シール性が悪くなり水漏れ等が生じた場合、前記Ｏーリング６７の交換作業は容易である。すなわち、水栓本体６を分解するなどの手間のかかる作業を行うことなく接続用リング体８４を介して吐水管１３を吐水用エルボ１５から取り外し、続いて、吐水用エルボ１５を取り外すだけの作業で交換作業が行える。
【００２６】
【発明の効果】
この発明では、給湯管および給水管を挿通させる管挿通穴を有する水栓取付け部材を流し台のシンクや洗面ボール等の取付板部に開設された貫通孔を覆う状態で取付板部に固定設置するとともに、弁ユニットを上載固定するロアーディスクと前記水栓取付け部材とを上下に連結するプレス板を設け、更に、ロアーディスクおよび水栓取付け部材間に、前記ロアーディスクの下面に固定され、前記貫通孔から前記管挿通穴を介して前記湯の導入孔と水の導入孔に至る前記給湯管と給水管をそれぞれ案内するための切欠きを有する上部大径部と下部小径部とよりなり、前記ロアーディスクの前記混合湯水の導出孔に連通させるために前記上部大径部および下部小径部を上下に貫通する混合湯水の連通穴が形成された混合湯水用アタッチメントと、筒状で、周部に吐水管を係止するための係止穴部を有し、前記下部小径部に対してその軸まわりに回動可能なように前記下部小径部に外嵌する吐水用エルボとを設けたので、従来のような例えば銅や真鍮などの鋳造製の水栓取付足を用いることなく、給湯流路および給水流路ならびに混合湯水の流路を容易に、かつ、コスト安に形成できる。
【００２７】
また、吐水管を吐水用エルボに対して着脱自在に構成したので、Ｏリング交換等のメンテナンスを容易に行えるとともに、従来のようにロー付けを用いて吐水管を水栓本体に固定しなくてもよいので、更にコスト安となる。
【００２８】
更に、吐水管に連通する湯水混合水の流路が水栓本体内に形成したので、湯水混合水の流路による熱が表面に伝達するのを防止できる。
【図面の簡単な説明】
【図１】この発明の一実施形態を示す全体構成説明図である。
【図２】上記実施形態を示す分解斜視図である。
【図３】上記実施形態において、吐水管の吐水用エルボに対する接続機構を説明するための図である。
【図４】従来例を示す構成説明図である。
【符号の説明】
１…ワンホール混合栓、２…水栓取付板部、３…貫通孔、７…弁ユニット、９…ロアーディスク、１２…混合湯水用アタッチメント、１３…吐水管、１５…吐水用エルボ、１７…水栓取付け部材、１８…プレス板。
【図１】
0004410402.tif 000002
【図２】
0004410402.tif 000003
【図３】
0004410402.tif 000004
【図４】
0004410402.tif 000005